(57)【要約】      （修正有）【課題】視覚障害者であっても測定結果を容易に認識できる電子体温計を提供する。【解決手段】電子体温計１は、検温部２と、検温部２で検出された体温を表示する表示部３とを備えている。表示部３は十の位、一の位、小数第一位、小数第二位のそれぞれに対応するように４つの点字ブロック３１が設けられ、検出された体温を点字で表示する。【選択図】図１
2012202730.tif 000002
【特許請求の範囲】
【請求項１】
検温部と、
前記検温部で検出された体温を表示する表示部とを備え、
前記表示部は前記検出された体温を点字で表示することを特徴とする体温計。
【請求項２】
請求項１記載の体温計において、
前記表示部は、
電圧が印加されることにより形状が変化する第一形状記憶合金部材と、
前記形状記憶合金部材の変形動作に連動して、出没する出没部材とを備え、
前記出没部材の出没によって前記点字を表示していることを特徴とする体温計。
【請求項３】
請求項１又は２記載の体温計において、
前記検温部は、温度変化により変形する第二形状記憶合金部材を備え、前記第二形状記憶合金部材の変形量に基づいて体温を検出することを特徴とする体温計。
【発明の詳細な説明】
【技術分野】
【０００１】
本発明は、体温計に関する。
【背景技術】
【０００２】
従来、被験者の体温を測定する体温計として電子体温計が知られている（例えば特許文献１参照）。
【先行技術文献】
【特許文献】
【０００３】
【特許文献１】特開２０１１−２２０９８号公報
【発明の概要】
【発明が解決しようとする課題】
【０００４】
ところで、デジタル表示される体温計であると視覚障害者にとっては測定結果が認識できないのが実状である。
このため、本発明の課題は、視覚障害者であっても測定結果を容易に認識できる体温計を提供することである。
【課題を解決するための手段】
【０００５】
以上の課題を解決するため、本発明の一の態様によれば、
検温部と、
前記検温部で検出された体温を表示する表示部とを備え、
前記表示部は前記検出された体温を点字で表示することを特徴とする体温計が提供される。
【発明の効果】
【０００６】
本発明によれば、視覚障害者であっても測定結果を容易に認識することができる。
【図面の簡単な説明】
【０００７】
【図１】本実施形態に係る体温計の概略構成を示す正面図である。
【図２】図１の体温計に備わる検温部の具体的構成を示す説明図であり、（ａ）は体温測定前の状態を示し、（ｂ）は体温測定中の状態を示している。
【図３】図２の検温部の回路構成を示す回路図である。
【図４】電圧Ｖと検出温度Ｔとの関係を示すグラフである。
【図５】図１の体温計に備わる点字ブロックの概略構成を示す模式図である。
【図６】点字で数字を表現したものを示す説明図である。
【図７】図５の点字ブロックに備わる出没機構の概略構成を示す側面図であり、（ａ）は埋没状態を示し、（ｂ）は出現状態を示している。
【図８】図１の体温計の主制御構成を示すブロック図である。
【図９】図８のドライバに体温情報を出力するタイミングを示すタイミングチャートである。
【図１０】図１の体温計の変形例を示す説明図である。
【図１１】図１０の体温計に備わる音声出力装置の概略構成を示す正面図である。
【図１２】図１１の音声出力装置の主制御構成を示すブロック図である。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は、本実施形態に係る体温計の概略構成を示す正面図である。図１に示すように、体温計１は、検温部２と、表示部３と、例えばＵＳＢ端子などの接続部４とを備えている。
【００１０】
図２は検温部２の具体的構成を示す説明図であり、（ａ）は体温測定前の状態を示し、（ｂ）は体温測定中の状態を示している。図２に示すように検温部２は、熱伝導性の高い棒状部材２１と、この棒状部材２１から伝導された熱量を受ける形状記憶合金からなるバネ部材２２と、バネ部材２２の伸縮をガイドするガイド部材２３とを備えている。棒状部材２１は、その先端部２１１が外部に露出している。ガイド部材２３は、筒体であり棒状部材２１が内部に挿通されている。バネ部材２２は、ガイド部材２３の周囲に巻き付けられており、その先端部が規制片２４を介して棒状部材２１に固定されている。規制片２４も棒状部材２１と同等の熱伝導性を有しており、棒状部材２１で受けた熱量をバネ部材２２に伝導する。バネ部材２２は、棒状部材２１からの熱量がない場合には最も収縮した状態となり、熱量が大きくなるにつれて徐々に伸張し、変形量が変化していく。つまり、バネ部材２２が温度変化によって変形する第二形状記憶合金部材である。また、バネ部材２２の基端部には、円柱状の第一誘電体２５が固定されている。第一誘電体２５は、検温部２の内部に固定された筒状の第二誘電体２６の内部に進退自在となっている。そして、同じ面積で形成された２つの電極５０，５１が互いに離間した状態で第二誘電体２６に接合されている。
【００１１】
図２（ａ）に示すように、体温測定前の状態では、棒状部材２１からバネ部材２２に熱量が伝導していないので、バネ部材２２は最も収縮した状態となる。この場合、第一誘電体２５は第二誘電体２６から退避している。
一方、図２（ｂ）に示すように、体温測定中の状態では、棒状部材２１からバネ部材２２に熱量が伝導しているので、当該熱量に応じた長さにバネ部材２２は伸張する。この場合、第一誘電体２５は第二誘電体２６内に進入している。第一誘電体２５と第二誘電体２６とが重なることでこれらがコンデンサを形成する。
ここで、第一誘電体２５と第二誘電体２６との重なった面積をＳ、電極間距離をｄ、比誘電率をεとすると、コンデンサの容量Ｃは式（１）の関係で求まる。
【００１２】
Ｃ＝ε・Ｓ／ｄ・・・（１）
【００１３】
図２（ａ）の状態の場合、第一誘電体２５と第二誘電体２６とが重なっていないのでＳは０となり、コンデンサの容量Ｃも０となる。また、比誘電率ε、電極間距離ｄが一定ならば、第一誘電体２５と第二誘電体２６との重なった面積Ｓが増加すると容量Ｃも増加し、両者は比例の関係をなしている。
【００１４】
図３は、検温部２の回路構成を示す回路図である。この図３に示すように、第一誘電体２５と第二誘電体２６とがなす可変コンデンサ２７には、抵抗２８を介して電源２９が直列に電極５０，５１を介して接続されている。この回路図において、抵抗２８に発生する電圧Ｖは、以下の関係となる。なお、Ｉは電流、Ｒは抵抗値、Ｅは電源２９の起電力である。また、単位時間を微小な時間Δｔとし、その時通過する微小な電荷量をΔＱと表すと、Ｉ＝ΔＱ／Δｔとなる。Δｔ→０とすると、Ｉ＝ｄＱ／ｄｔとなる。
【００１５】
Ｖ＝Ｉ・Ｒ・・・（２）
Ｉ＝ｄＱ／ｄｔ＝（Ｅ／Ｒ）・ｅ−１／ＣＲ・ｔ・・・（３）
Ｖ＝Ｅ／Ｒ・ｅ−１／ＣＲ・ｔ＝Ｅ・ｅ−ｄ／εＳＲ・ｔ・・・（４）
【００１６】
式（４）により、低温時にはコンデンサ２７の容量Ｃが増加するため、電圧Ｖは低下する。また、高温時にはコンデンサ２７の容量Ｃが小さくなるため、電圧Ｖは増加する。図４は、電圧Ｖと検出温度Ｔとの関係を示すグラフである。図４に示すように、電圧Ｖと検出温度Ｔとは正の相関関係を示しているので、抵抗２８に発生する電圧ＶをＡＤ変換することで、体温を検出することが可能である。
【００１７】
表示部３は、図１に示すように、十の位、一の位、小数第一位、小数第二位のそれぞれに対応するように４つの点字ブロック３１が設けられている。
【００１８】
図５は、点字ブロック３１の概略構成を示す模式図である。図５に示すように、点字ブロック３１には、２×３のドット３２が設けられている。ここで、一般的に点字は２×３のドットで文字を表現しているが、図６に示すように数字を表示する場合には２×２のドットさえあればよい。このため、ドット３２を出没させる出没機構３３は、上側の２×２のドット３２にのみ設けられている。各ドット３２の出没機構３３は、それぞれドライバ１０に電気的に接続されている。
【００１９】
図７は出没機構３３の概略構成を示す側面図であり、（ａ）は埋没状態を示し、（ｂ）は出現状態を示している。図７に示すように、出没機構３３は、基台３３１と、点字用ボタン３３２と、点字用ボタン３３２を案内するボタンガイド３３３と、ボタンガイド３３３の表面に設けられた可撓性の防塵カバー３３４とを備えている。
点字用ボタン３３２は、第一バネ部材３３５を介して基台３３１に支持されている。また、点字用ボタン３３２は、形状記憶合金からなる第二バネ部材３３６内に収容されている。第二バネ部材３３６の上端部はボタンガイド３３３の内面に固定されている。第二バネ部材３３６には電圧が印加されるようになっており、第二バネ部材３３６は電圧が印加されると伸張し、電圧が印加されないと収縮して元の形状に復帰するようになっている。この第二バネ部材３３６が、電圧が印加されることによって形状が変化する第一形状記憶合金部材である。
ここで、第一バネ部材３３５の弾性力は図７（ａ）に示すように伸張した第二バネ部材３３６と釣り合いが取れるように設定されている。このとき、点字用ボタン３３２はボタンガイド３３３から突出せず埋没状態となっている。
そして、図７（ｂ）に示すように第二バネ部材３３６が収縮すると第一バネ部材３３５は点字用ボタン３３２を押し上げてボタンガイド３３３から突出させて出現状態にする。点字用ボタン３３２の突出に追従して防塵カバー３３４も盛り上がる。このように点字用ボタン３３２が、第二バネ部材３３６の変形動作に連動して出没する出没部材である。２×２の点字用ボタン３３２の出没状態を組み合わせることで点字が形成される。
【００２０】
図８は体温計１の主制御構成を示すブロック図である。図８に示すように、体温計１の制御部６には、抵抗２８の電圧Ｖを検出する電圧検出器８がＡ／Ｄ変換器９を介して電気的に接続されている。また、制御部６には、出没機構３３のドライバ１０と、接続部４と、電源７とが電気的に接続されている
制御部６は、ＣＰＵ（中央演算装置）と、メモリとを有して構成され、体温計１の各構成要素を制御する。メモリは、体温計１の各構成要素を制御するためのプログラムを記憶している。ＣＰＵは、メモリに格納されたプログラムに基づいて演算を行ない、この演算結果に基づいて各構成要素に制御信号を送信する。
【００２１】
次に、本実施形態の作用について説明する。
電源７がＯＮになって、検温部２が被験者の体に触れると、その体温によりバネ部材２２が伸張して、第一誘電体２５と第二誘電体２６との重なった面積Ｓが変化する。所定時間経過し面積Ｓが安定すると電圧検出器８が抵抗２８の電圧Ｖを検出する。検出された電圧ＶをＡ／Ｄ変換器９がＡＤ変換して制御部６に出力する。制御部６は、入力された値から体温Ｔを求め、体温Ｔが表示されるようにドライバ１０を制御する。具体的には、制御部６は図９に示すタイミングでドライバ１０に体温情報を出力している。まず制御部６は、十の位の体温情報をドライバ１０に出力する。十の位は、「３」か「４」しかないので１ｂｉｔの情報で送られる。なお、その他の位は「０」〜「９」なので４ｂｉｔの情報となる。ドライバ１０は、十の位の体温情報が表示されるように、十の位を表示する点字ブロック３１ａの各出没機構３３に電圧を印加する。電圧が印加された出没機構３３では点字用ボタン３３２が出現状態となり、印加されない出没機構３３では埋没状態となる。次いで、制御部６は、一の位の体温情報、小数第一位の体温情報及び小数第二位の体温情報を順次ドライバ１０に出力する。ドライバ１０は、一の位の体温情報が表示されるように、一の位を表示する点字ブロック３１ｂの各出没機構３３に電圧を印加する。次いで、ドライバ１０は、小数第一位の体温情報が表示されるように、小数第一位を表示する点字ブロック３１ｃの各出没機構３３に電圧を印加する。そして、ドライバ１０は、小数第二位の体温情報が表示されるように、小数第二位を表示する点字ブロック３１ｄの各出没機構３３に電圧を印加する。各点字ブロック３１ａ〜３１ｄの表示が完了すると、ドライバ１０は所定時間状態保持データを各点字ブロック３１ａ〜３１ｄの出没機構３３に出力して、その状態を所定時間継続させる。これにより、被験者は各点字ブロック３１ａ〜３１ｄを触るだけで測定結果を認識することができる。
【００２２】
また、測定後においては制御部６は測定結果の履歴をメモリに記憶する。そして、介護者等によって、接続部４に例えばＰＣなどの電子機器が接続されると、制御部６は測定結果の履歴を電子機器に出力する。これにより、外部の電子機器でも測定結果の履歴を取得することができ、その履歴データを介護医療などに役立たせることができる。
【００２３】
以上のように、検出された体温を表示部３が点字で表示しているので、視覚障害者であっても測定結果を容易に認識することができる。
【００２４】
また、表示部３では、電圧が印加されることにより変形し、電圧が印加されないと元の形状に復帰する第二バネ部材３３６の変形により点字を形成しているので、単に電圧を印加するか否かを切り替えるだけで点字を表示することができ、簡便な構成で点字を出現、消去することができる。
体温により変形する第二形状記憶合金部材であるバネ部材２２の変形量に基づいて検温部２が体温を検出しているので、温度センサとして一般的に用いられているサーミスタよりも迅速に体温を検出することができる。
【００２５】
なお、本発明は上記実施形態に限らず適宜変更可能である。
例えば、上記実施形態では、形状記憶合金によって点字を表示する場合を例示したが、形状記憶合金以外のアクチュエータを用いて点字を表示してもよい。
また、本実施形態では、制御部６は、体温Ｔが表示されるようにドライバ１０を制御する際、十の位は１ｂｉｔの情報で贈られていたが、４ｂｉｔの情報を送るようにしてもよい。
【００２６】
また、体温計１の接続部４に対して図１０に示すような音声出力装置４０を取り付けることも可能である。この場合、音でも測定結果を出力することができ、視覚障害者にとってより好ましい形態となる。図１１は、音声出力装置４０の概略構成を示す正面図である。図１１に示すように、音声出力装置４０には、体温計１が挿入する挿入口４１と、挿入口４１の奥側に配置され、体温計１の接続部４に接続される被接続部４２と、スピーカ部４３とが設けられている。図１２は、音声出力装置４０の主制御構成を示すブロック図である。図１２に示すように、被接続部４２には、アンプ部４４を介してスピーカ部４３が接続されている。被接続部４２に体温計１の接続部４が接続されると、体温計１から電力が供給されアンプ部４４が駆動する。また、体温計１の制御部６からは、接続部４を介して測定結果の音声データも入力される。この音声データをアンプ部４４が増幅してスピーカ部４３から出力する。これにより、測定結果を音でも被験者に通知することができる。
なお、音声出力装置４０は予め体温計１に一体的に設けられていてもよい。
【００２７】
本発明のいくつかの実施形態を説明したが、本発明の技術的範囲には特許請求の範囲に記載された発明とその均等の範囲が含まれる。
以下に、本願出願の当初の特許請求の範囲に記載された発明を付記する。
【００２８】
〔付記〕
［請求項１］
検温部と、
前記検温部で検出された体温を表示する表示部とを備え、
前記表示部は前記検出された体温を点字で表示することを特徴とする体温計。
［請求項２］
請求項１記載の体温計において、
前記表示部は、
電圧が印加されることにより形状が変形する第一形状記憶合金部材と、
前記形状記憶合金部材の変形動作に連動して、出没する出没部材とを備え、
前記出没部材の出没によって前記点字を表示していることを特徴とする体温計。
［請求項３］
請求項１又は２記載の体温計において、
前記検温部は、温度変化により変形する第二形状記憶合金部材を備え、前記第二形状記憶合金部材の変形量に基づいて体温を検出することを特徴とする体温計。
【符号の説明】
【００２９】
１      体温計
２      検温部
３      表示部
４      接続部
６      制御部
７      電源
８      電圧検出器
９      変換器
１０      ドライバ
２１      棒状部材
２２      バネ部材（第二形状記憶合金部材）
２３      ガイド部材
２４      規制片
２５      第一誘電体
２６      第二誘電体
２７      可変コンデンサ
２８      抵抗
２９      電源
３１      点字ブロック
３２      ドット
３３      出没機構
２１１      先端部
３３１      基台
３３２      点字用ボタン（出没部材）
３３３      ボタンガイド
３３４      防塵カバー
３３５      第一バネ部材
３３６      第二バネ部材（第一形状記憶合金部材）
【図１】
2012202730.tif 000003
【図２】
2012202730.tif 000004
【図３】
2012202730.tif 000005
【図４】
2012202730.tif 000006
【図５】
2012202730.tif 000007
【図６】
2012202730.tif 000008
【図７】
2012202730.tif 000009
【図８】
2012202730.tif 000010
【図９】
2012202730.tif 000011
【図１０】
2012202730.tif 000012
【図１１】
2012202730.tif 000013
【図１２】
2012202730.tif 000014